(57)【要約】【課題】工場内で設置のための場所を取らず、異なる形状のプラグにも対応することができる、分電盤のコンセントユニットを提供する。【解決手段】ユニットの筐体２１に、分岐ブレーカ２２と、前記分岐ブレーカ２２の負荷側に接続したコンセント２３（３１）と、前記分岐ブレーカ２２の電源側に接続すると共に増設用のプラグ端子に接続可能な差込端子２５とを設けたことにより、工場内で設置のための場所を取らず、分電盤からコンセントユニットまでの配線工事の必要もないうえ、必要な形状のプラグに対応することが可能となる。さらに、コンセント２３（３１）をユニットの筐体２１に露出させて設けたことにより、分電盤１の扉体を閉めたままでも分電盤にコンセントを接続することが可能となる。【選択図】図１
2008154364.tif 000002
【特許請求の範囲】
【請求項１】
ユニットの筐体に、ブレーカと、前記ブレーカの負荷側に接続したコンセントと、前記ブレーカの電源側に接続すると共に分電盤に設けた増設用のプラグ端子に接続可能な差込端子とを設けたことを特徴とする分電盤のコンセントユニット。
【請求項２】
前記コンセントをユニットの筐体に露出させて設けたことを特徴とする請求項１に記載の分電盤のコンセントユニット。
【発明の詳細な説明】
【技術分野】
【０００１】
本発明は、分電盤に増設するコンセントユニットに関するものである。
【背景技術】
【０００２】
工場内の設備に電源を供給する際には、分電盤の分岐ブレーカから引き出された配線を生産設備に引き込むのが一般的である。工場内の生産設備はレイアウト変更されることが多く、分電盤も生産設備の近くに設けられて、分岐回路を必要に応じて増減させ生産設備の変更に対応可能なものが提案されている。一方で、工場内で普段は使用しない生産設備に、臨時に電源を供給する際には、分電盤とは別の場所に設けたコンセントを使用する場合が多い。しかしながら、工場で使用する生産設備によっては、一般家庭用のプラグと違い容量が大きく、プラグが大型なものもあり、このようなプラグを差し込まれるコンセントもまた大型なものとなることから、工場内にコンセントユニットを設置するためのスペースが必要であるうえ、分電盤からコンセントユニットまでの配線工事を行うため手間がかかっていた。
【０００３】
一方で、特許文献１や特許文献２のように、分電盤自体にコンセントを設けた分電盤がある。しかし、これらのコンセントは、分電盤内のキャビネット内部に設置した機器へ電源を供給するためのものであり、このような分電盤からキャビネットの外部に電源を供給するためには、扉を開けたままにする必要があり、好ましいものではない。また、これらのコンセントは、分電盤内に予め取り付けられているため、プラグ形状が異なると使用することができず、予測されるプラグ形状を予め、分電盤内に取り付けておくことは、分電盤の大型化を招き、コスト的にも無駄である。
【特許文献１】特開２００３−０６１２１４号公報
【特許文献２】特開２００３−２１９５１５号公報
【発明の開示】
【発明が解決しようとする課題】
【０００４】
工場内で設置のための場所を取らず、異なる形状のプラグにも対応することができる、コンセントユニットを提供する。
【課題を解決するための手段】
【０００５】
上記課題を解決するためになされた本発明は、ユニットの筐体に、ブレーカと、前記ブレーカの負荷側に接続したコンセントと、前記ブレーカの電源側に接続すると共に分電盤に設けた増設用のプラグ端子に接続可能な差込端子とを設けたことを特徴とするものである。
【０００６】
なお、前記コンセントをユニットの筐体に露出させて設けておくことが好ましい。
【発明の効果】
【０００７】
ユニットの筐体に、ブレーカと、ブレーカの負荷側に接続したコンセントと、電源側に接続すると共に分電盤に設けた増設用のプラグ端子に接続可能な差込端子とを設けたので、必要に応じて分電盤にコンセントユニットを増設して、生産設備のコンセントを直接分電盤に差し込めばよいので、工場内で設置のための場所を取らず、分電盤からコンセントユニットまでの配線工事の必要もないうえ、必要な形状のプラグに対応することが可能となる。さらに、コンセントをユニットの筐体に露出させて設けたので、分電盤の扉体を閉めたままでも分電盤にコンセントを接続することが可能となる。
【発明を実施するための最良の形態】
【０００８】
以下に、図面を参照しつつ本発明の好ましい実施の形態を示す。
図１は分電盤の全体図である。１は分電盤であり、この分電盤１は主に、略直方体形状の基台２と、この基台２に立設される断面略コ字状の取付レール３と、この取付レール３に取り付けられている主分電盤４から構成されている。なお、基台２は必ずしも必要ではなく、取付レール３が壁面に固定されているものであってもよい。
【０００９】
図２に主分電盤４の扉を開けた状態の図を示す。主分電盤４は、主に図２に示されるように、開放した面を有する箱形形状の主分電盤キャビネット５ａと、この主分電盤キャビネット５の内部に並列して配設された３本の母線バー６と、主幹ブレーカ７と、複数の分岐ブレーカ８と、主分電盤キャビネット５を覆着する扉５ｂから構成されている。分岐ブレーカ８は、母線バー６を介して主幹ブレーカ７に接続されている。なお、母線バー６には、略Ｕ字状の給電用のプラグ端子９が縦方向に複数取り付けられ、分岐ブレーカ８を着脱することが可能な構造となっている。
【００１０】
図３に、主分電盤４の下部の詳細図を示す。図３に示されるように、主分電盤４の下端には、主分電盤キャビネット５の外部に延出させた母線バー６に、給電用のプラグ端子９と同形状の略Ｕ字状の増設用のプラグ端子１０が取り付けられ、主幹ブレーカ７の負荷側から給電されるようになっている。なお、この増設用のプラグ端子１０は、切欠１１ａが形成された箱形形状の端子保護カバー１１で覆われて保護されている。
【００１１】
図１や図３において、１５は増設ユニットである。この増設ユニット１５は、扉を備えた箱形形状のキャビネット１５ａの内部に分岐ブレーカ（図示せず）及び３本の短い母線バーを並列して収納したものである。この短い母線バーの一端は、図４に示すように、増設ユニット１５の裏側の上部に、前記増設用のプラグ端子１０に差し込む板状の差込端子１５ｂとして形成されている。また、前記短い母線バーの他端には、図５に示すように、増設ユニット１５の下端に、別の増設ユニットが接続可能な略Ｕ字状の増設用のプラグ端子１５ｃを設けている。さらに、この増設用のプラグ端子１５ｃは、切込１５ｄが形成された箱形形状の端子保護カバー１５ｆで覆われて保護されている。なお、内部の分岐ブレーカは前記短い母線バーに接続されていて負荷に電源を供給するようになっている。
【００１２】
図２に示す主分電盤４は、分岐ブレーカ８を５個設置することが可能な構造となっているが、主分電盤４内の取り付けスペースの分岐ブレーカ８がすべて使用され、さらに分岐ブレーカが必要な場合には、増設ユニット１５の差込端子１５ｂを主分電盤４の下端に設けられた増設用のプラグ端子１０に差し込んで、増設ユニット１５を分電盤１に取り付けるだけで、分岐ブレーカを増設することが可能となる。なお、図３に示されるように、増設ユニット１５の側面には、取付用突起１５ｇが突設され、この取付用突起１５ｇが、取付レール３の内側に形成された取付用凹部３ａに嵌り込んで、増設ユニット１５を貫通する取付ネジ（図示せず）を、レール３上に形成された、取付ネジ孔３ｂに螺着して、増設ユニット１５がレール３に固定される構造となっている。このような構造を採用することにより、増設ユニット１５を分電盤１に脱着可能とし、必要に応じて分電盤１に増設ユニット１５を増設することが可能となる。
【００１３】
図１において、２０は第１のコンセントユニットである。図６に第１のコンセントユニット２０の斜視図を示し、図７に第１のコンセントユニット２０の扉である保護カバー２１ｂを開けた状態の図を示し、図８に第１のコンセントユニット２０の裏側の斜視図を示す。図６や図７に示されるように、第１のコンセントユニット２０は、主にユニットの筐体２１と、このユニットの筐体２１の内部に収納される分岐ブレーカ２２とコンセント２３と３本の短い母線バーから構成されている。また、ユニットの筐体２１は、分岐ブレーカ２２やコンセント２３が搭載される基台２１ａと、分岐ブレーカ２２やコンセント２３を覆うように、基台２１ａの一端に軸支された箱形形状の扉である保護カバー２１ｂとから構成されている。なお、３本の短い母線バーは基台２１ａの内部に配置されている。
【００１４】
本実施形態では、コンセントユニット２０は、増設ユニット１５の２倍の大きさで構成されている。すなわち、コンセントユニット２０の基台２１ａは増設ユニットの基台を２個連結したものであり、一方に増設ユニットと同様に分岐ブレーカ２２を設けると共に、他方にコンセント２３を前述の様に配置し、扉である保護カバー２１ｂで双方を覆ったものである。このような構造とすることとにより、多くの部品を増設ユニット２１と共通化させることができ、製造コストを削減できる利点を有する。なお、コンセントユニット２０の扉２０はヒンジ構造を有しない蓋体であってもよし、コンセントの上部のみを覆うスライド式のカバーのようなものであってもよい。
【００１５】
図８に示すように、基台２１ａの側面には、取付用突起２１ｃが突設され、この取付用突起２１ｃが取付レール３の内側に形成された取付用凹部３ａに嵌り込んで、ユニットの筐体２１を貫通する取付ネジ（図示せず）を、取付レール３上に形成された、取付ネジ孔３ｂに螺着して、取付レール３に固定される構造となっている。このような構造により、第１のコンセントユニット２０のユニットの筐体２１は、取付レール３に取り付けられ、分電盤１に脱着可能な構造となっている。
【００１６】
基台２１ａの内部に並列して配置した３本の短い母線バーの一端には、図８に示されるように、板状の差込端子２５が形成され、ユニットの筐体より露出している。この差込端子２５は、前述した主分電盤４の下部に設けられた増設用のプラグ端子１０もしくは、増設ユニット１５の下部に設けられた増設用のプラグ端子１５ｃに差し込まれて、これらの増設用のプラグ端子１０、１５ｃと接続する。一方、短い母線バーの他端には後述するように、図１０に示すように、第１のコンセントユニット２０の下端に、別のコンセントユニットや増設ユニットが接続可能な略Ｕ字状の増設用のプラグ端子２６が設けられている。
【００１７】
差込端子２５は、分岐ブレーカ２２の電源側と電気的に接続している。一方で、分岐ブレーカ２２の負荷側は、並列して配設された２個のコンセント２３と電気的に接続している。従って、分岐ブレーカ２２は分電盤１の分岐ブレーカと同じ役割を果たすので、コンセント２３は主幹ブレーカとの間に別途分岐ブレーカを介して接続する必要がなく、設置の手間と設置スペースを同時に削減できる。なお、このコンセント２３は、基台２１ａ上に搭載されたコンセント取付用台２４を介して基台２１ａに取り付けられている。このコンセント取付用台２４は、コンセント２３が搭載される、板部２４ａと、この板部２４ａからユニットの筐体２１側に向かって延設された脚部２４ｂから構成され、このように、コンセント２３を基台２１ａから浮かせて取り付けることにより、分岐ブレーカ２２の負荷側から引き回された配線２８を、コンセント２３の裏側に引き回して、コンセント２３に接続することにより、第１のコンセントユニット２０のコンパクト化を実現している。
【００１８】
なお、本実施形態に示される分岐ブレーカ２２は、３極用のブレーカであり、１極を２個のコンセント２３の共通端子として、それぞれのコンセント２３に接続すると共に、他の２極をそれぞれのコンセント２３に接続して電源を供給している。コンセント２３に過電流が流れた場合には、分岐ブレーカ２２が回路を遮断して、コンセント２３に接続される機器を過電流から保護することとしている。
【００１９】
コンセント２３は、図９に示されるように、２極プラグが差し込まれるコンセントであり、円筒形状の差込口２３ａを有している。これらの差込口２３ａを覆うように、有底筒状のカバー２３ｃが開閉自在にコンセント２３に取り付けられていて、非使用時に差込口２３ａに異物が侵入することを防止している。なお、このカバー２３ｃを閉じて回転させると、図７に示されるように、コンセント２３にねじ込まれて、差込口２３ａに異物が侵入することを防止している。保護カバー２１ｂには、コンセント用窓２１ｄが形成されて、コンセント２３がユニットの筐体２１から露出している。このような構造を採用することにより、保護用カバー２１ｂを開けることなく、コンセント２３にプラグを差し込むことができる。
【００２０】
図１０に第１のコンセントユニット２０の下部の斜視図を示す。図１０に示されるように、第１のコンセントユニットの下部には、３本の短い母線バーの他端に略Ｕ字状の増設用のプラグ端子２６が設けられている。このように、第１のコンセントユニットの下部に、増設用のプラグ端子２６を設けたので、この増設用のプラグ端子２６に別のコンセントユニットや増設ユニット１５の差込端子２５、１５ｂが差し込まれて接続することにより、必要に応じて第１のコンセントユニット２０や後述する第２のコンセントユニット等のコンセントユニットや増設ユニット１５を更に増設することが可能となる。なお、増設用のプラグ端子２６は、差込端子２５、１５ａが介入できる、切欠２７ａを有する箱形形状の端子保護カバー２７で保護されている。
【００２１】
図１１に第２のコンセントユニット３０の斜視図を示し、図１２に第２のコンセントユニット３０の保護カバーを開けた状態の図を示す。この第２のコンセントユニット３０は、第１のコンセントユニット２０を４極用のコンセント３１にしたものであり、その他の部分は第１のコンセントユニット２０と同様である。このコンセント３１は、コンセントユニット３０内に設置した３極用の分岐ブレーカ２２より電源を供給すると共に、残りの１極は、アース線に接続して三相４線式の負荷用のコンセントとして使用されている。
【００２２】
図１に示されるように、第２のコンセントユニット３０を、第１のコンセントユニット２０に接続することが可能であるが、第２のコンセントユニット３０を、主分電盤４や増設ユニット１５に接続することも可能である。また、第２のコンセントユニット３０にも増設用のプラグ端子を設けておけば、増設ユニット１５や第１のコンセントユニット２０等を接続できるので、分電盤１への取付位置の自由度が増して好ましいものである。
さらに、コンセントユニットは、コンセント２３とコンセント３１とを混在させたものであってもよく、コンセントの数も３つ以上であってもよい。
【００２３】
このように、第１のコンセントユニット２０や第２のコンセントユニット３０等のコンセントユニットに、主分電盤４や他のコンセントユニットに設けられた増設用のプラグ端子と接続して、主分電盤４や他のコンセントユニットに接続する差込端子２５を設けたので、必要に応じて、分電盤１にコンセント２３、３１を設けることが可能となった。また、プラグ形状に対応するコンセントユニットを、必要に応じて増設することにより、予めすべてのプラグ形状に対応するコンセントを主分電盤４に設ける必要がなく、異なるプラグ形状に対応することが可能となった。
【００２４】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴うコンセントユニットもまた技術的範囲に包含されるものとして理解されなければならない。      
【図面の簡単な説明】
【００２５】
【図１】分電盤の全体図である。
【図２】主分電盤の扉を開けた状態の図である。
【図３】主分電盤の下部の詳細図である。
【図４】増設ユニット用の裏側の斜視図である。
【図５】増設ユニット用の下部の斜視図である。
【図６】第１のコンセントユニットの斜視図である。
【図７】第１のコンセントユニットの保護カバーを開けた状態の図である。
【図８】第１のコンセントユニットの裏側の斜視図である。
【図９】第１のコンセントユニットのキャップを開けた状態の図である。
【図１０】第１のコンセントユニットの下部を示す斜視図である。
【図１１】第２のコンセントユニットの斜視図である。
【図１２】第２のコンセントユニットの保護カバーを開けた状態の図である。
【符号の説明】
【００２６】
１      分電盤
２      基台
３      取付レール
３ａ    取付用凹部
３ｂ    取付ネジ孔
４      主分電盤
５ａ    主分電盤キャビネット
５ｂ    扉
６      母線バー
７      主幹ブレーカ
８      分岐ブレーカ
９      給電用のプラグ端子
１０    増設用のプラグ端子
１１    端子保護カバー
１１ａ  切欠
１５    増設ユニット
１５ａ  キャビネット
１５ｂ  差込端子
１５ｃ  増設用のプラグ端子
１５ｄ  切込
１５ｆ  端子保護カバー
１５ｇ  取付用突起
２０    第１のコンセントユニット
２１    ユニットの筐体
２１ａ  基台
２１ｂ  保護カバー
２１ｃ  取付用突起
２１ｄ  コンセント用窓
２２    分岐ブレーカ
２３    コンセント
２３ａ  差込口
２３ｃ  カバー
２４    コンセント取付用台
２４ａ  板部
２４ｂ  脚部
２５    差込端子
２６    増設用のプラグ端子
２７    端子保護カバー
２７ａ  切欠
２８    配線
３０    第２のコンセントユニット
３１    コンセント
【図１】
2008154364.tif 000003
【図２】
2008154364.tif 000004
【図３】
2008154364.tif 000005
【図４】
2008154364.tif 000006
【図５】
2008154364.tif 000007
【図６】
2008154364.tif 000008
【図７】
2008154364.tif 000009
【図８】
2008154364.tif 000010
【図９】
2008154364.tif 000011
【図１０】
2008154364.tif 000012
【図１１】
2008154364.tif 000013
【図１２】
2008154364.tif 000014